(57)【要約】【課題】食器かごに収容する食器の形状寸法の制約を少なくし、食器や調理器具をより多く効率よく配置収容して洗浄できる食器洗い機を実現する。【解決手段】洗浄槽と、前記洗浄槽内に配置し食器類を収容する食器かごと、食器類を洗浄する洗浄手段とを備え、前記食器かごは、複数の支持ピンを有する一対の支持部で食器類を保持する載置部を有し、前記一対の支持部は、回動軸部のまわりにそれぞれ回動可能に構成した。【選択図】図１
2005334552.tif 000002
【特許請求の範囲】
【請求項１】
洗浄槽と、前記洗浄槽内に配置し食器類を収容する食器かごと、食器類を洗浄する洗浄手段とを備え、前記食器かごは、複数の支持ピンを有する一対の支持部で食器類を保持する載置部を有し、前記一対の支持部は、回動軸部のまわりにそれぞれ回動可能に構成した食器洗い機。
【請求項２】
支持部は第１の回動規制手段と第２の回動規制手段とを有し、一対の支持部をともに前記第１の回動規制手段で回動規制することにより食器類を保持可能な第１の載置部を形成し、前記一対の支持部をともに前記第２の回動規制手段で回動規制することにより食器類を保持可能な第２の載置部を形成するよう構成した請求項１記載の食器洗い機。
【請求項３】
第１の回動規制手段は、回動軸部に固着した請求項２記載の食器洗い機。
【請求項４】
第２の回動規制手段は、一対の支持部の一方の支持部の支持ピンを他方の支持部の回動軸部に当接させて回動規制するよう構成した請求項２記載の食器洗い機。
【請求項５】
一対の支持部は、互いの複数の支持ピンのうち少なくとも一対を回動軸部の軸方向において相対する位置に配設するとともに、回動軸部を軸方向に移動可能とした請求項１または２記載の食器洗い機。
【請求項６】
一対の支持部は、それぞれの回動軸部を軸方向において互いにずらせて配設した請求項１または２記載の食器洗い機。
【請求項７】
回転軸部の軸方向は、洗浄槽の左右方向とした請求項１〜６のいずれか１項記載の食器洗い機。
【請求項８】
食器かごは、載置部を洗浄槽の前後方向に複数配設した請求項１〜７のいずれか１項記載の食器洗い機。
【請求項９】
複数の載置部のうち、最も後側に位置する載置部をその載置部の前方に隣接して位置する載置部より大きく構成した請求項８記載の食器洗い機。
【請求項１０】
洗浄槽に残滓フィルターを配設し、食器かごは、載置部を前記残滓フィルターの上方近傍に配設するよう構成した請求項１〜９のいずれか１項記載の食器洗い機。
【請求項１１】
載置部を構成する一対の支持部のうち少なくとも一方を回動軸部とは別の回動支軸まわりに回動可能に構成した請求項１０記載の食器洗い機。
【発明の詳細な説明】
【技術分野】
【０００１】
本発明は洗浄ノズルより食器に向けて洗浄水を噴射して食器を洗浄する食器洗い機に関するものである。
【背景技術】
【０００２】
従来、この種の食器洗い機は図１６及び図１７に示すように構成していた。以下、その構成について説明する。
【０００３】
図１６に示すように、洗浄槽１は、内部に洗浄水を噴射する洗浄ノズル２を回転自在に設けるとともに、食器３を収容する食器かご４を配置している。洗浄槽１内の洗浄水はヒータ５によって温水化され、洗浄ポンプ６にて残滓フィルター７を通して排水口８から吸い込まれ、洗浄ノズル２に圧送される。洗浄ノズル２より勢いよく噴射される洗浄水によって、食器かご４に配置収容された食器３を洗浄するように構成している。食器かご４は図１７に示すように、条体４ｆに複数の支持ピン４ａを立設して構成された載置部４１に食器３を配置して保持するように構成されている（例えば、特許文献１参照）。
【特許文献１】特開２００１−６１７５６号公報
【発明の開示】
【発明が解決しようとする課題】
【０００４】
しかしながら、このような従来の食器洗い機では、食器３を食器かご４の支持ピン４ａに配置収容する場合、食器３の形状寸法に制約ができ、調理器具などを良好な洗浄が可能なように配置できないという問題を有していた。
【０００５】
本発明は、上記従来の課題を解決するもので、食器かごに収容する食器の形状寸法の制約を少なくし、食器や調理器具をより多く効率よく配置収容して洗浄できる食器洗い機を提供することを目的としている。
【課題を解決するための手段】
【０００６】
本発明は上記目的を達成するために、洗浄槽と、前記洗浄槽内に配置し食器類を収容する食器かごと、食器類を洗浄する洗浄手段とを備え、前記食器かごは、複数の支持ピンを有する一対の支持部で食器類を保持する載置部を有し、前記一対の支持部は、回動軸部のまわりにそれぞれ回動可能に構成したものである。
【０００７】
これにより、食器かごに収容する食器の形状寸法の制約を少なくし、食器や調理器具をより多く効率よく配置収容して洗浄できるものである。
【発明の効果】
【０００８】
本発明の食器洗い機は、食器かごに収容する食器の形状寸法の制約を少なくし、食器や調理器具をより多く効率よく配置収容して洗浄できる食器洗い機を実現することができる。
【発明を実施するための最良の形態】
【０００９】
第１の発明は、洗浄槽と、前記洗浄槽内に配置し食器類を収容する食器かごと、食器類を洗浄する洗浄手段とを備え、前記食器かごは、複数の支持ピンを有する一対の支持部で食器類を保持する載置部を有し、前記一対の支持部は、回動軸部のまわりにそれぞれ回動可能に構成したことにより、食器を配置保持する支持部に形状を変化させることができるので、配置収容できる食器の形状寸法の制約が少なくなり、食器や調理器具を効率良く配置収容し洗浄することができる。
【００１０】
第２の発明は、上記第１の発明において、支持部は第１の回動規制手段と第２の回動規制手段とを有し、一対の支持部をともに前記第１の回動規制手段で回動規制することにより食器類を保持可能な第１の載置部を形成し、前記一対の支持部をともに前記第２の回動規制手段で回動規制することにより食器類を保持可能な第２の載置部を形成するよう構成したことにより、選択可能な２種類の載置部を安定した構成として実現することができる。
【００１１】
第３の発明は、上記第２の発明において、第１の回動規制手段は、回動軸部に固着したことにより、第１の載置部の形成に際し、支持ピンを安定させることができるので、食器を安定な状態で載置保持することができる。
【００１２】
第４の発明は、上記第２の発明において、第２の回動規制手段は、一対の支持部の一方の支持部の支持ピンを他方の支持部の回動軸部に当接させて回動規制するよう構成することにより、第２の載置部の形成に際し、支持ピンを回動規制するための特別な部材を必要とせずに、食器を安定な状態で載置保持することができる。
【００１３】
第５の発明は、上記第１または第２の発明において、一対の支持部は、互いの複数の支持ピンのうち少なくとも一対を回動軸部の軸方向において相対する位置に配設するとともに、回動軸部を軸方向に移動可能としたことにより、載置部を形成した状態では安定して食器を載置保持できるとともに、一対の支持部を回動するに際しては、互いの支持ピン同士が干渉することなく回動させることができる。
【００１４】
第６の発明は、上記第１または第２の発明において、一対の支持部は、それぞれの回動軸部を軸方向において互いにずらせて配設したことにより、一対の支持部を回動するに際しては、互いの支持ピン同士が干渉することなく回動させることができる。
【００１５】
第７の発明は、上記第１〜第６の発明において、回転軸部の軸方向は、洗浄槽の左右方向としたことにより、洗浄槽前面からの載置部への食器の配置収容作業を行いやすくすることができる。
【００１６】
第８の発明は、上記第１〜第７の発明において、食器かごは、載置部を洗浄槽の前後方向に複数配設したことにより、より多くの食器や調理器具を効率よく配置収容できるとともに、収容できる食器の形状寸法の制約もさらに少なくすることができる。
【００１７】
第９の発明は、上記第８の発明において、複数の載置部のうち、最も後側に位置する載置部をその載置部の前方に隣接して位置する載置部より大きく構成したことにより、寸法形状の大きい皿類を最も後側に収容し、前方の載置部は皿類以外の比較的小さい食器類に応じて載置部の形状を選択できるので、より効率のよい食器類の配置収容が可能となる。
【００１８】
第１０の発明は、上記第１〜第９の発明において、洗浄槽に残滓フィルターを配設し、食器かごは、載置部を前記残滓フィルターの上方近傍に配設するよう構成したことにより、載置部を構成する一対の支持部を回動させて、残滓の除去や残滓フィルターの取り出しを容易とすることができる。
【００１９】
第１１の発明は、上記第１０の発明において、載置部を構成する一対の支持部のうち少なくとも一方を回動軸部とは別の回動支軸まわりに回動可能に構成したことにより、残滓の除去や残滓フィルターの取り出しをさらに容易とすることができる。
【００２０】
以下、本発明の実施の形態について、図面を参照しながら説明する。なお、食器洗い機の全体構成は、図１２に示した従来例と同じであり、同じ構成のものは同一符号を付して説明を省略する。また、この実施の形態によって本発明が限定されるものではない。
【００２１】
（実施の形態１）
図１、図２は本発明の実施の形態１における食器洗い機の食器かごの外観斜視図、図３、図４は食器かごの載置部の要部拡大図である。図１において、食器かご４は、ステンレス等の金属の線材よりなる複数の条体４ｆを適宜組み合わせ、要所を溶接等により互いに固着して構成されている。
【００２２】
複数の条体４ｆの互いに隣接する２本の条体４ｆ間に、両方の端部を屈曲させて回動軸受け部４ｅを形成した条体４ｇが溶接等により固着されている。そして、複数の支持ピン４ａを所定の間隔で溶接された回動軸部４ｂが、その両端部分で上記一対の回動軸受け部４ｅ間に挿入されており、条体４ｇに対し回動軸受け部４ｅまわりに回動可能に軸支されて、食器類を配置保持する支持部４０ａを構成している。
【００２３】
また、回動軸部４ｂには、所定の角度で支持部４０ａの回動を規制するための第１の回動規制手段である回動規制ピン４ｃが溶接されている。この回動規制ピン４ｃは、回動規制された位置にて支持ピン４ａで食器類を保持可能とするため、支持ピン４ａとは位相を異ならせた位置で回動軸部４ｂに固着されている。本実施の形態では、支持ピン４ａと回動規制ピン４ｃのなす角度は約４５°としている。
【００２４】
また、回動軸部４ｂの複数の支持ピン４ａのうち最端部に位置する支持ピンを他の支持ピンより寸法を長くして、第２の回動規制手段である回動規制ピン４ｄとしている。本実施の形態では、この回動規制ピン４ｄは他の支持ピン４ａと同位相で回動軸部４ｂに設けてあるが、位相を異ならせて設けてもかまわない。
【００２５】
そして、支持部４０ａと同じ構成より成る支持部４０ｂを隣接する部分に対向させて設けている。支持部４０ｂを組み立てる際には、回動軸部４ｂを条体４ｇの回動軸受け部４ｅに支持部４０ａとは１８０°逆転させて挿入している。したがって、支持部４０ｂは、支持部４０ａとは鏡面対称な形状となっている。
【００２６】
図３に実線で示すように、この一対の支持部４０ａ、４０ｂを、回動軸部４ｂの回動規制ピン４ｃが条体４ｇに当接する位置までそれぞれ回動させると、それぞれの支持ピン４ａで食器類（図示しない）を保持することができる第１の載置部４１が形成される。
【００２７】
図４に示すように、一対の支持部４０ａ、４０ｂを、回動軸部４ｂの回動規制ピン４ｄがそれぞれ他方の条体４ｇに当接する位置まで回動させると、図３に細線で示すように、すべての支持ピン４ａがほぼ水平な位置に来て第２の載置部４２を形成し、食器かご４全体としては、図２に示すように底部全体がほぼフラットな食器かご４とすることができる。
【００２８】
以上のように、本実施の形態においては、一対の支持部４０ａ、４０ｂは、回動軸部４ｂを回動軸部４ｂのまわりにそれぞれ回動可能に構成したことにより、食器を配置保持する支持部に形状を変化させることができるので、配置収容できる食器の形状寸法の制約が少なくなり、食器や調理器具を効率良く配置収容し洗浄することができる。
【００２９】
また、一対の支持部４０ａ、４０ｂをともに回動規制ピン４ｃを条体４ｇに当接させて回動規制することにより食器類を保持可能な第１の載置部４１を形成し、一対の支持部４０ａ、４０ｂをともに回動規制ピン４ｄを条体４ｄに当接させて回動規制することにより食器類を保持可能な第２の載置部４２を形成するよう構成したことにより、選択可能な２種類の載置部を安定した構成として実現することができる。
【００３０】
また、回動規制ピン４ｃは、回動軸部４ｂに固着したことにより、第１の載置部４１の形成に際し、支持ピン４ａを安定させることができるので、食器を安定な状態で載置保持することができる。
【００３１】
また、支持部４０ａの回動規制ピン４ｄを支持部４０ｂの回動軸部４ｂに当接させ、支持部４０ｂの回動規制ピン４ｄを支持部４０ａの回動軸部４ｂに当接させて回動規制するよう構成することにより、第２の載置部４２の形成に際し、支持ピン４ａを回動規制するための特別な部材を必要とせずに、食器を安定な状態で載置保持することができる。
【００３２】
（実施の形態２）
図５は本発明の実施の形態２における食器洗い機の食器かごの外観斜視図、図６は食器かごの載置部の要部拡大図である。図５および図６において、回動軸部４ｂの一端を折り曲げて、所定の角度で支持部４０ａの回動を規制するための第１の回動規制手段である回動規制ピン４ｃとしている。この回動規制ピン４ｃは、回動規制された位置にて支持ピン４ａで食器類を保持可能とするため、支持ピン４ａとは位相を異ならせた方向に折り曲げられている。本実施の形態では、支持ピン４ａと回動規制ピン４ｃのなす角度は約４５°としている。
【００３３】
また、本実施の形態においては、回動軸部４ｂの一端を折り曲げて回動規制ピン４ｃとしていることから、回動規制させて第１の載置部４１を形成するに際し、回動規制ピン４ｃを条体４ｇに当接させることはできないので、回動規制ピン４ｃの長さを、上記実施の形態１より長くして、条体４ｇとは別の条体４ｆに当接させるように構成している。他の構成は上記実施の形態１と同じである。
【００３４】
以上のように、本実施の形態においては、回動軸部４ｂの一端を折り曲げて第１の回動規制手段としていることにより、支持ピンを回動規制するための特別な部材を必要とせずに、食器を安定な状態で載置保持することができる。
【００３５】
（実施の形態３）
図７は本発明の実施の形態３における食器洗い機の食器かごの外観斜視図、図８は食器かごの載置部の要部拡大図である。図７および図８において、回動軸部４ｂの一端を折り曲げて、所定の角度で支持部４０ａの回動を規制するための第２の回動規制手段である回動規制ピン４ｄとしている。この回動規制ピン４ｄは他の支持ピン４ａと同位相となる方向に折り曲げられている。
【００３６】
また、本実施の形態においては、回動軸部４ｂの一端を折り曲げて回動規制ピン４ｄとしていることから、回動規制させて第２の載置部４２を形成するに際し、回動規制ピン４ｄを条体４ｇに当接させることはできないので、回動規制ピン４ｄの長さを、上記実施の形態１より長くして、条体４ｇとは別の条体４ｆに当接させるように構成している。他の構成は上記実施の形態１と同じである。
【００３７】
以上のように、本実施の形態においては、回動軸部４ｂの一端を折り曲げて第２の回動規制手段としていることにより、支持ピンを回動規制するための特別な部材を必要とせずに、食器を安定な状態で載置保持することができる。
【００３８】
（実施の形態４）
図９は本発明の実施の形態４における食器洗い機の食器かごの要部斜視図、図１０は食器かごの要部上面図である。図９および図１０において、食器かご４の支持部４０ａと支持部４０ｂは、互いの複数の支持ピン４ａを回動軸部４ｂの軸方向において相対する位置に配設するとともに、回動軸部４ｂを軸方向に移動可能とした構成にしている。他の構成は上記実施の形態１と同じである。
【００３９】
２種類の載置部４１、４２のいずれか一方から他方に形状を変更するに際しては、そのままの状態で回動軸部４ｂを回動させたのでは、互いの支持ピン４ａ同士が干渉して接触するので、一対の支持部４０ａ、４０ｂのいずれかの回動軸部４ｂを軸方向に移動させた後に回動させるとお互いに干渉せずにスムーズに載置部の形成作業を行うことができる。
【００４０】
また、仮に回動軸部４ｂを軸方向に移動させずに回動させた場合でも、回動軸部４ｂを軸方向に移動可能としたことにより、互いの支持ピン４ａ同士が干渉した時にいずれかの支持部の回動軸部４ｂがひとりでに軸方向に移動して指示ピン４ａ同士の干渉状態を解消して回動し、載置部の形成を続行完結できることも期待できる。
【００４１】
以上のように、本実施の形態においては、載置部を形成した状態では安定して食器を載置保持できるとともに、一対の支持部を回動するに際しては、互いの支持ピン同士が干渉することなくスムーズに回動させることができる。
【００４２】
（実施の形態５）
図１１は本発明の実施の形態５における食器洗い機の食器かごの要部斜視図、図１２は食器かごの要部上面図である。図１１および図１２において、食器かご４の一対の支持部４０ａ、４０ｂは、それぞれの回動軸部４ｂを軸方向において互いにずらせて配設してある。他の構成は上記実施の形態１と同じである。
【００４３】
このように構成することにより、２種類の載置部４１、４２のいずれか一方から他方に形状を変更するに際して、そのままの状態で回動軸部４ｂを回動させても互いの支持ピン４ａ同士が干渉せずにスムーズに載置部の形成作業を行うことができる。
【００４４】
（実施の形態６）
図１３は本発明の実施の形態６における食器洗い機の食器かごの外観斜視図である。図１３において、食器かご４は、洗浄槽１の前後方向に２つの載置部４５、５５を備えている。これらの載置部４５、５５を構成する各支持部４０ａ、４０ｂ、５０ａ、５０ｂは、回転軸部４ｂの軸方向が洗浄槽１の左右方向になるよう構成している。各支持部４０ａ、４０ｂ、５０ａ、５０ｂは上記実施の形態１〜５のいずれの構成でも採用することができる。また、他の構成は上記実施の形態１と同じである。
【００４５】
ここで、後側に位置する載置部４５をその前方に隣接して位置する載置部５５より大きく構成してある。すなわち、載置部４５における支持部４０ａと支持部４０ｂの間隔Ａを、載置部５５における支持部５０ａと支持部５０ｂの間隔Ｂより大きく、また、載置部４０ａ、４０ｂの支持ピン４５ａの長さを、載置部５０ａ、５０ｂの支持ピン５５ａの長さよりもながくしてある。
【００４６】
以上のように、本実施の形態においては、支持部４０ａ、４０ｂ、５０ａ、５０ｂの回転軸部４ｂの軸方向は、洗浄槽１の左右方向としたことにより、洗浄槽１前面からの載置部４５、５５への食器の配置収容作業を行いやすくすることができる。
【００４７】
また、載置部４５と載置部５５とを洗浄槽１の前後方向に配設したことにより、より多くの食器や調理器具を効率よく配置収容できるとともに、収容できる食器の形状寸法の制約もさらに少なくすることができる。
【００４８】
そして、後側に位置する載置部４５をその前方に隣接して位置する載置部５５より大きく構成したことにより、寸法形状の大きい皿類を後側の載置部４５に収容し、前方の載置部５５は皿類以外の比較的小さい食器類に応じて載置部の形状を選択できるので、より効率のよい食器類の配置収容が可能となる。
【００４９】
なお、本実施の形態では、載置部の個数を２つとしたが、３つ以上としても同様の構成を採用することは可能であり、その場合も同様の作用効果を実現することができる。
【００５０】
（実施の形態７）
図１４は本発明の実施の形態７における食器洗い機の食器かごの要部斜視図、図１５は食器かごの支持部の動作説明図である。図１４において、洗浄槽１の底面に残滓フィルター７を配設し、食器かご４は、載置部４１を残滓フィルター７の上方近傍に配設するよう構成している。
【００５１】
載置部４１は、一対の支持部４０ａ、４０ｂで形成され、これら一対の支持部４０ａ、４０ｂは、上記実施の形態１と同様の構成を持ち、条体４ｇに対し回動軸受け部４ｅまわりに回動可能に軸支されている。
【００５２】
さらに、本実施の形態においては、一対の支持部４０ａ、４０ｂのうち少なくとも一つ、ここでは支持部４０ａを、回動支軸４ｉ、４ｊまわりに条体４ｇもろとも回動可能に構成している。
【００５３】
そして、残滓の除去や残滓フィルター７の取り出しを行う時には、図１５に示すように、支持ピン４ａが固着された回動軸部４ｂを回動軸受け部４ｅまわりに矢印Ａ方向に回動し、その後、支持部４０ａ全体を回動支軸４ｉ、４ｊまわりに矢印Ｂ方向に回動させる。そうすれば、支持部４０ａが残滓フィルター７の上方から移動して、残滓フィルター７の上方近傍は空間となるので、そこから残滓フィルター７に溜まった残滓を除去したり、残滓フィルター７を取り出して清掃を行ったりすることが容易となる。
【００５４】
このように、本実施の形態においては、載置部４１を残滓フィルター７の上方近傍に配設するよう構成したことにより、載置部４１を構成する一対の支持部４０ａ、４０ｂを回動させて、残滓の除去や残滓フィルターの取り出しを容易とすることができる。
【００５５】
さらに、載置部４１を構成する一対の支持部４０ａ、４０ｂのうち少なくとも一方を回動軸部４ｅとは別の回動支軸４ｉ、４ｊまわりに回動可能に構成したことにより、残滓の除去や残滓フィルターの取り出しをさらに容易とすることができる。
【産業上の利用可能性】
【００５６】
以上のように、本発明にかかる食器洗い機は、食器かごに配置収容する食器を効率的に配置収容して洗浄することが可能となるので、食器かごを有する食器洗い機等として有用である。
【図面の簡単な説明】
【００５７】
【図１】本発明の実施の形態１の食器洗い機の食器かごの外観斜視図
【図２】同食器洗い機の食器かごの外観斜視図
【図３】同食器洗い機の食器かごの載置部の要部拡大図
【図４】同食器洗い機の食器かごの載置部の要部拡大図
【図５】本発明の実施の形態２の食器洗い機の食器かごの外観斜視図
【図６】同食器洗い機の食器かごの載置部の要部拡大図
【図７】本発明の実施の形態３の食器洗い機の食器かごの外観斜視図
【図８】同食器洗い機の食器かごの載置部の要部拡大図
【図９】本発明の実施の形態４の食器洗い機の食器かごの要部斜視図
【図１０】同食器洗い機の食器かごの要部上面図
【図１１】本発明の実施の形態５の食器洗い機の食器かごの要部斜視図
【図１２】同食器洗い機の食器かごの要部上面図
【図１３】本発明の実施の形態６の食器洗い機の食器かごの外観斜視図
【図１４】本発明の実施の形態７の食器洗い機の食器かごの要部斜視図
【図１５】同食器洗い機の食器かごの支持部の動作説明図
【図１６】従来の食器洗い機の縦断面図
【図１７】従来の食器洗い機の食器かごの外観斜視図
【符号の説明】
【００５８】
１  洗浄槽
２  ノズル
３  食器
４  食器かご
４ａ  支持ピン
４ｂ  回動軸部
４ｃ  回動規制ピン（第１の回動規制手段）
４ｄ  回動規制ピン（第２の回動規制手段）
４ｅ  回動軸受け部
４ｆ、４ｇ  条体
４ｉ、４ｊ  回動支軸
５  ヒータ
６  ポンプ
７  残滓フィルター
８  排水口
４０ａ、４０ｂ、５０ａ、５０ｂ  支持部
４１  第１の載置部
４２  第２の載置部
４５、５５  載置部
４５ａ、５５ａ  支持ピン
【図１】
2005334552.tif 000003
【図２】
2005334552.tif 000004
【図３】
2005334552.tif 000005
【図４】
2005334552.tif 000006
【図５】
2005334552.tif 000007
【図６】
2005334552.tif 000008
【図７】
2005334552.tif 000009
【図８】
2005334552.tif 000010
【図９】
2005334552.tif 000011
【図１０】
2005334552.tif 000012
【図１１】
2005334552.tif 000013
【図１２】
2005334552.tif 000014
【図１３】
2005334552.tif 000015
【図１４】
2005334552.tif 000016
【図１５】
2005334552.tif 000017
【図１６】
2005334552.tif 000018
【図１７】
2005334552.tif 000019